(57)【要約】      （修正有）【課題】各種の魚介類特に蓄養籠の貝類の成育と蓄養を促進させる海水等の循環を均一にし、濾過された海水等を以って貝類の蓄養と成長を達成するものである。【解決手段】貝類を蓄養する循環蓄養装置１は、蓄養水槽２、フィルター槽５、濾過槽６、殺菌槽７と熱交換器付ポンプ槽８とを一体的に構成されている。該蓄養水槽には、底部の所定位置に排水口９を設けると共に、各種構成材料よりなる仕切板３に縦設する。該仕切板には、一方の端部を壁面等に固定部を設けて取着け、他方の端部には所定間隔の開放した循環流水路１１を形成して一方の循環を強制的に流水させることを特徴としている。【選択図】図１
0003108828.tif 000002
【実用新案登録請求の範囲】
【請求項１】
合成樹脂製又はコンクリート板等の構成材料を以って方形状に形成した蓄養装置（１）には、蓄養水槽（２）と連通してフィルター槽（５）、濾過槽（６）、殺菌槽（７）及び熱交換器付ポンプ槽（８）より一体的に構成された貝類を蓄養する循環蓄養装置において、前記蓄養水槽（２）には、底部の所定位置に排水口（９）を形成し、且つ該蓄養水槽（２）には、内部の長手方向に各種構成材料よりなる仕切板（３）を縦設し、該仕切板（３）には、一方の端部を壁面に固定部（４）で取着すると共に、他方の端部には開放した循環流水路（１１）を形成し、該蓄養水槽（２）の内部には、各種の貝類を収納した蓄養籠（１０）（１０）を所定間隔に配列したことを特徴とする貝類を蓄養する循環蓄養装置。
【考案の詳細な説明】
【技術分野】
【０００１】  この考案は、各種の魚介類特に貝類の生育と蓄養を促進させるための海水等を強制的に均一に循環させ、濾過された海水等により貝類の成長性を達成し、且つ貝類の設置、取り出し作業を簡素化するための貝類を蓄養する循環蓄養装置に関するものである。
【背景技術】
【０００２】  従来この種の貝類の蓄養水槽装置においては、蓄養水槽の内部に貝類を蓄養籠に収容し、これを上下数段又は並設して設置するこのである。
そして、蓄養水槽の内部にエアーと同時に吐き出された海水等を濾過槽を経ることなく一方向より送水して貝類等の成育を促進蓄養するものである。
然し、この時は、水槽内の循環水は一方向に向って噴出して循環するのみで、濾過された新鮮な送水とならず、前方に位置する貝類の蓄養籠には良好の蓄養状態となるが、後方に位置する蓄養籠内の貝類には成育が良好とはならず、全体を平均して海水等が循環流出しないという問題点があった。
【考案の開示】
【考案が解決しよとうする課題】
【０００３】  従来の技術で述べた問題点を解決するためのものであり、その主たる目的とする所は、魚介類の特に貝類における蓄養装置に対して、蓄養水槽、フィルター槽、濾過槽、殺菌槽及び熱交換器付ポンプ槽等の全体を一体的に構成し、該蓄養水槽の内部に一方のみ前進流水のための仕切板を立設固定し、濾過された清浄で殺菌された海水等の循環水を各貝類の蓄養籠とその隙間等を強制的に全体の内部を平均して循環する蓄養水槽を提供するものである。
【課題を解決するための手段】
【０００４】  本考案は、上記目的を達成するため、蓄養装置には、排水口を設けた蓄養水槽、フィルター槽、濾過槽、殺菌槽、熱交換器付ポンプ槽等の全体を一体的に構成してある。
該蓄養水槽には、内部に数個の貝類の蓄養籠を配列すると共に、内部中央の長手方向に仕切板を立設する。該仕切板には、先端の縦方向に循環流水路を形成すると共に、後端の側面は流水しないように壁面等に固定部によって取着するものである。
【考案の効果】
【０００５】  以上説明したように本考案の貝類を蓄養する循環蓄養装置によれば、全体が一体的で小型化され、且つ良好な温度で循環水を浄化できる。また、蓄養装置には、蓄養水槽と連通するフィルター槽、濾過槽、殺菌槽及び熱交換器付ポンプ槽を経て海水等を蓄養水槽に循環するので、汚物を確実に排除し、熱交換されると共に、ポンプと分散器で空気を補給して濾過された新鮮な海水等を供給し成育と蓄養とを著しく向上できる優れた効果がある。
また、該蓄養水槽の底部に各種構成材料よりなる仕切板を縦設し、その仕切板の一方の端部を壁面側に固定部で取着し、他方の端部を開放して循環流水路を形成したので、不純物を取り除いた綺麗に濾過された海水等が一方に向って強制的に平均して循環される優れた効果と、各種の貝類を収納した蓄養籠を適宜配列したことにより、各配列された蓄養籠とその隙間にも敏速に循環水が流水し、貝類の成育と蓄養とを著しく促進される効果もある。
【考案を実施するための最良の形態】
【０００６】  本考案は、図１に示す如く、蓄養装置（１）に設けてある蓄養水槽（２）の内部に貝類等を入れた蓄養籠（１０）（１０）を所定間隔を設けて並列又は積層に配設し、熱交換器付ポンプ槽（８）内の軸流ポンプ（１６）を始動して該熱交換器付ポンプ槽（８）内の海水等を蓄養水槽（２）に流出して注入する。この蓄養水槽（２）内に浸入した水は、矢印に示す如く、数個並設配設された貝類等の蓄養籠（１０）（１０）とその間の水路等を仕切板（３）に沿って均一に流水し、循環流水路（１１）を廻って、仕切板（３）で隔離された隣接の蓄養水槽（２）を矢印の如く流水して排水口（９）よりフィルター槽（５）のオーバーフロー管（１３）の上部より濾材マット（１５）で異物を排除し、次の濾過槽（６）の上方より溢れた水は殺菌槽（７）で殺菌され熱交換器付ポンプ槽（８）により熱交換されると共に、内部の水を軸流ポンプ（１６）にて引上げて該蓄養水槽（２）に循環するものである。
【実施例】
【０００７】  本考案の実施例を図面について説明すると、蓄養装置（１）は、各種の魚介類の貝類を蓄養する大きさに合成樹脂又はコンクリート板等の構成材料によって略方形状に形成されている。該蓄養装置（１）には、蓄養水槽（２）、連通されるフィルター槽（５）と、濾過槽（６）と殺菌槽（７）及び熱交換器付ポンプ槽（８）とを一体的に構成されている。
該蓄養水槽（２）には、底部の所定位置に各種形状のフィルター槽（５）に連通する排水口（９）を形成してある。
また、該蓄養水槽（２）には、内部の長手方向に各種構成材料よりなる仕切板（３）を縦設してある。該仕切板（３）には、一方の端部を壁面に固定部（４）によって取着すると共に、他方の端部には、所定間隔を設けて流水が矢印の如く循環するための循環流水路（１１）を形成してある。
さらに、該蓄養水槽（２）の内部には、該仕切板（３）の両側に貝類の蓄養籠（１０）（１０）を所定間隔を設けて整列又は多段的に配列してある。符号（１２）は、該蓄養籠（１０）（１０）の蓋体を示し、（１７）は、貝類の収容室を示したものである。符号（１３）は、各々のオーバーフロー管を示し、（１４）は、濾過槽（６）の内部の濾材を示し、（１５）は、フィルター槽（５）内の濾材マットで、（１６）は、熱交換器付ポンプ槽（８）に装設された軸流ポンプを示したものである。
【図面の簡単な説明】
【０００８】
【図１】  本考案の貝類を蓄養する蓄養装置の全体を示す平面図である。
【図２】  同じく本考案の図１の一部分の縦断側面図である。
【図３】  本考案に使用する蓄養籠と蓋体との斜面図である。
【図４】  同じく本考案の蓄養籠を積層した側面図である。
【符号の説明】
【０００９】  １          蓄養装置
２          蓄養水槽
３          仕切板
４          固定部
５          フィルター槽
６          濾過槽
７          殺菌槽
８          熱交換器付ポンプ槽
９          排水口
１０        蓄養籠
１１        循環流水路
１３        オーバーフロー管
１４        濾材
１６        軸流ポンプ
【図１】
0003108828.tif 000003
【図２】
0003108828.tif 000004
【図３】
0003108828.tif 000005
【図４】
0003108828.tif 000006